(57)【要約】【課題】使用時には形状を保持し、使用後には簡単に潰して減容化を図ることが出来ると共に、回収作業を容易にした減容化可能な容器の構造を提供する。【解決手段】１は容器本体、２は口部３に着脱可能に取り付けられたキャップを示し、前記容器本体１の長手方向の対称位置Ｘ−Ｘ近傍の境界部を境として剛性の高い部分１Ａと剛性の低い部分１Ｂとで構成してある。また、他の実施形態としては、前記容器本体１の径方向の対称位置Ｙ−Ｙ近傍の境界部を境として剛性の高い部分１ａと剛性の低い部分１ｂとで構成してある。前記、容器本体１の剛性の高い部分１Ａ，１ａは、肉厚が厚い、または硬い材料により構成すると共に、剛性の低い部分１Ｂ，１ｂは、肉厚が薄い、または柔らかい材料により構成するものである。【選択図】  図１
2005088931.tif 000002
【特許請求の範囲】
【請求項１】
樹脂材料または肉薄の金属材料により構成された容器の構造において、前記容器本体の長手方向の対称位置近傍または径方向の対称位置近傍の境界部を境として剛性の高い部分と剛性の低い部分とで構成し、前記容器本体の内容物排出後、前記剛性の高い部分の凹内に剛性の低い部分が折り込まれるように構成したことを特徴とする減容化可能な容器の構造。
【請求項２】
前記容器本体の剛性の高い部分は、肉厚が厚い、または硬い材料により構成すると共に、剛性の低い部分は、肉厚が薄い、または柔らかい材料により構成した請求項１に記載の減容化可能な容器の構造。
【請求項３】
樹脂材料または肉薄の金属材料により構成された容器の構造において、前記容器本体の長手方向の対称位置近傍または径方向の対称位置近傍の境界線を境として分離可能に構成し、前記容器本体の内容物排出後、前記分離した一方の分離体内に他方の分離体を収容出来るように構成したことを特徴とする減容化可能な容器の構造。
【発明の詳細な説明】
【技術分野】
【０００１】
この発明は、減容化可能な容器の構造にかかわり、更に詳しくは例えば、使用後のペットボトルを簡単に押し潰して減容化を図ることが出来ると共に、回収作業を容易にした容器の構造に関するものである。
【背景技術】
【０００２】
近年、飲料水やジュース類等の容器として樹脂材料または肉薄の金属材料により構成された１．５リットル、または２．０リットル等の容積を有するペットボトルが携帯用または一般家庭用として多様化されている。
【０００３】
このような内容物が排出された使用済のペットボトルは、回収されてリサイクルに回され、また回収時には簡単に押し潰れるようにはなっているが、潰れる形態が一様でないために回収時の大きな減容化となっていないのが現状であり、従って、一般家庭を含め使用後のペットボトルの減容化が課題となっている。
【０００４】
ところで、市販されているペットボトルの一部やアルミ缶，スチール缶等には、簡単に折り曲げて潰せるように工夫された容器が提案されているが、ペットボトルの場合、全体の剛性が低いために、形状が安定せず、ペットボトルを持った時の圧力により内容物が溢れたり、流出してしまい取扱いに問題があった（例えば、特許文献１参照）。
【特許文献１】特開１９９５−２２６１号公報（第２〜第３頁、図１）
【発明の開示】
【発明が解決しようとする課題】
【０００５】
この発明はかかる従来の問題点に着目し、使用時には形状を保持し、使用後には簡単に潰して減容化を図ることが出来ると共に、回収作業を容易にした減容化可能な容器の構造を提供することを目的とするものである。
【課題を解決するための手段】
【０００６】
この発明は、上記目的を達成するため、容器本体の長手方向の対称位置近傍または径方向の対称位置近傍の境界部を境として剛性の高い部分と剛性の低い部分とで構成し、前記容器本体の内容物排出後、前記剛性の高い部分の凹内に剛性の低い部分が折り込まれるように構成したことを要旨とするものである。
【０００７】
ここで、前記容器本体の剛性の高い部分は、肉厚が厚い、または硬い材料により構成すると共に、剛性の低い部分は、肉厚が薄い、または柔らかい材料により構成するものである。
【０００８】
また、この発明の他の減容化可能な容器の構造は、容器本体の長手方向の対称位置近傍または径方向の対称位置近傍の境界線を境として分離可能に構成し、前記容器本体の内容物排出後、前記分離した一方の分離体内に他方の分離体を収容出来るように構成したことを要旨とするものである。
【０００９】
このように、容器本体の使用時には、その形状を保持した状態で使用でき、また使用後には、誰もが簡単に潰して減容化を図ることが出来る。
【発明の効果】
【００１０】
この発明は、上記のように容器本体の長手方向の対称位置近傍または径方向の対称位置近傍の境界部を境として剛性の高い部分と剛性の低い部分とで構成し、前記容器本体の内容物排出後、前記剛性の高い部分の凹内に剛性の低い部分が折り込まれるように構成したり、また容器本体の長手方向の対称位置近傍または径方向の対称位置近傍の境界線を境として分離可能に構成し、前記容器本体から内容物を排出後、前記分離した一方の分離体内に他方の分離体を収容出来るように構成したので、使用時には形状を保持し、使用後には簡単に潰して減容化を図ることが出来、回収作業を容易に行うことが出来る効果がある。    
【発明を実施するための最良の形態】
【００１１】
以下、添付図面に基づき、この発明の実施形態を説明する。
【００１２】
図１は、この発明の第１実施形態を示す樹脂材料（例えば、ポリエチレン等）または肉薄の金属材料（アルミニュウム，スチール等）により構成された容器の縦断正面図、図２は図１のＡ−Ａ矢視断面図を示し、１は容器本体、２は口部３に着脱可能に取り付けられたキャップを示し、前記容器本体１の長手方向の対称位置Ｘ−Ｘ近傍の境界部を境として剛性の高い部分１Ａと剛性の低い部分１Ｂとで構成してある。
【００１３】
また、他の実施形態としては、図３及び図４に示すように、前記容器本体１の径方向の対称位置Ｙ−Ｙ近傍の境界部を境として剛性の高い部分１ａと剛性の低い部分１ｂとで構成してある。
【００１４】
前記、容器本体１の剛性の高い部分１Ａ，１ａは、肉厚が厚い、または硬い材料により構成すると共に、剛性の低い部分１Ｂ，１ｂは、肉厚が薄い、または柔らかい材料により構成するものである。このように容器本体１を構成することで、容器本体１内の水やジュース等の液状の内容物排出後、キャップ２を取外した状態で、図１，図２及び図３に示すように、前記剛性の高い部分１Ａ，１ａの凹内に剛性の低い部分１Ｂ，１ｂを矢印方向Ｆに折り込むことで、減容化を図ることが出来、結果的に容器の回収作業を容易にすることが出来る。
【００１５】
なお、この実施形態では、容器本体１の下側半分に上側半分を反転させて折り込むようにしてあるが、この逆に下側半分の剛性を低下させて上側半分に折り込むように構成することも可能である。
【００１６】
また、図５はこの発明の第３実施形態を示す容器本体１の半断面図を示し、この実施形態は、容器本体１の長手方向の対称位置Ｘ−Ｘ近傍の境界線を境として分離可能に構成したり、または前述のように、径方向の対称位置Ｙ−Ｙ近傍の境界線を境として分離可能に構成し、前記容器本体１内の水やジュース等の液状の内容物排出後、前記分離した一方の分離体１ｘの凹部内に他方の分離体１ｙを収容出来るように構成したものである。
【００１７】
また、他の実施形態としては、図６に示すように容器本体１の口部３（飲み口）を、容器本体１の中心Ｏ−Ｏからずらした位置に設けて重ね効率を高めることも可能であり、また容器本体１の折り込みを容易にする手段としては、図７に示すように、容器本体１の折り込みと反対側の側面に補強リブ４を設けたり、図８に示すように、折り込み境界部分５の肉厚を薄く形成して構成することも可能である。
【００１８】
以上のように、容器本体１の内容物排出後、前記剛性の高い部分１Ａ，１ａの凹内に剛性の低い部分１Ｂ，１ｂを折り込んだり、分離した一方の分離体１ｘの凹部内に他方の分離体１ｙを収容出来るように構成したので、使用時には剛性の高い部分１Ａ，１ａで形状を保持し、使用後には簡単に潰して減容化を図ることが出来、回収作業を容易に行うことが出来るものである。
【図面の簡単な説明】
【００１９】
【図１】この発明の第１実施形態を示す容器本体の縦断正面図である。
【図２】図１のＡーＡ矢視断面図である。
【図３】この発明の第２実施形態を示す容器本体の縦断正面図である。
【図４】図３のＢーＢ矢視断面図である。
【図５】この発明の第３実施形態を示す容器本体の減容化した状態を示す断面図である。
【図６】この発明の第４実施形態を示す容器本体の平面図である。
【図７】この発明の第５実施形態を示す容器本体の平面図である。
【図８】この発明の第６実施形態を示す容器本体の横断平面図である。
【符号の説明】
【００２０】
１  容器本体                      ２  キャップ
３  口部                  １ｘ，１ｙ  分離体
４  補強リブ                      ５  折り込み境界部分
１Ａ，１ａ  剛性の高い部分        １Ｂ，１ｂ  剛性の低い部分
Ｘ−Ｘ  長手方向の対称位置      Ｙ−Ｙ  径方向の対称位置
Ｏ−Ｏ  容器本体の中心
【図１】
2005088931.tif 000003
【図２】
2005088931.tif 000004
【図３】
2005088931.tif 000005
【図４】
2005088931.tif 000006
【図５】
2005088931.tif 000007
【図６】
2005088931.tif 000008
【図７】
2005088931.tif 000009
【図８】
2005088931.tif 000010